(57)【特許請求の範囲】
【請求項１】
掘削された掘削物を内面により下流側に案内する掘削物排出シュ−トにおいて、
前記内面上に、土を少なくとも保持する保持手段が設けられて、該内面上に、少なくとも土が保持され、
前記保持手段が金網とされている、
ことを特徴とする掘削物排出シュ−ト。
【発明の詳細な説明】
【０００１】
【発明の属する技術分野】
本発明は、斜坑を掘削する際、斜面搬送する際等に用いる掘削物排出シュ−トに関する。
【０００２】
【従来の技術】
斜坑が掘削されることがある。例えば、水力発電を行うべく、水を導く水圧管を配設する斜坑が山において掘削される。この斜坑の掘削は、山の下方側から斜め上方に向けて掘削機により掘り進む一方、その掘削物（主として、土、石等）は、シュ−トにより下方側に排出されることとされる。これにより、掘削機を用いて連続的に掘り進めることが可能となる。
【０００３】
【発明が解決しようとする課題】
しかし、上記掘削物の排出においては、それまで掘り進んだ斜坑の傾斜を利用してシュ−トを傾斜配置し、そのシュ−トにより多くの掘削物を下流側に勢いよく滑り落とすことになっており、シュ−トの摩耗は激しい。このため、掘削物の円滑な排出を確保するためには、掘削作業に伴って、新たなシュ−トに何回か取り替えなければならない。
【０００４】
本発明は以上のような事情を勘案してなされたもので、その目的は、掘削物排出に伴う掘削物排出シュ−トの摩耗を簡単に低減することにある。
【０００５】
【課題を解決するための手段】
上記目的を達成するために本発明（請求項１に係る発明）にあっては、
掘削された掘削物を内面により下流側に案内する掘削物排出シュ−トにおいて、
前記内面上に、土を少なくとも保持する保持手段が設けられて、該内面上に、少なくとも土が保持され、
前記保持手段が金網とされている構成としてある。
【０００６】
【発明の効果】
請求項１に記載された発明によれば、シュ−ト内面上に少なくとも土が保持されていることから、掘削物を流しても、シュ−ト内面が、自然に多く存する土等を利用して保護されることになる。このため、掘削物排出に伴う掘削物排出シュ−トの摩耗を簡単に低減できることになる。
【０００７】
また、シュ−ト内面に、土を少なくとも保持する保持手段が設けられていることから、その保持手段を利用して土等を保持し、掘削物排出に伴う掘削物排出シュ−トの摩耗を簡単に低減することを、的確に得ることができることになる。
【０００８】
さらに、保持手段が金網とされていることから、その金網自体によりシュ−ト内面を保護できるばかりか、その金網の網目を利用して土等をシュ−ト内面に保持でき、上記作用効果を具体的に得ることができることになる。
【０００９】
【発明の実施の形態】
以下、本発明の実施形態について図面に基づいて説明する。
図１〜図４は本発明の実施形態を示すもので、その図１、図２において、１は、山２において掘削されつつある斜坑（仮想線は掘削する予定の斜坑）で、この斜坑１は、発電用水圧管を配設するべく、山２の下方側から斜め上方（例えば傾斜角４８度）に向けて掘削機３により掘り進められることになっている。
【００１０】
既に掘り進められた斜坑１内には、掘削機３による掘削に伴って掘削物を排出すべく、図１〜図４に示すように、シュ−ト４が配設されている。このシュ−ト４は、掘削機３の直後方から掘削開始点まで複数のシュ−ト要素をつなぎあわせて構成されており、シュ−ト４は、斜坑１の傾斜に基づき傾斜配置されることになっている。そして、このシュ−ト４は、本実施形態においては、鉄板（例えば厚み３２ｍｍ）をもって、一対の側壁部５と、その一対の側壁部５をつなぐ底壁部６とを有するように形成されており、その形状は、上部が開口した樋状とされている。
【００１１】
前記シュ−ト４底壁部６の内面上には、図３、図４に示すように、金網７が配設されている。この金網７は、シュ−ト底壁部６内面から突出する複数の支持具８に上側から差込むことによって、シュ−ト底壁部６に対して着脱可能とされると共に、該底壁部６内面から若干浮かせた状態に維持しつつ下方側に滑り落ちないように保持されており、この金網７の網目を利用して、シュ−ト底壁部６の内面には、保持すべき土としての掘削物（土、石、岩等）９が満遍無く保持されることになっている（図３においては、金網７の存在をわかりやすくするために、金網７が一部露出するようにしてある）。この掘削物９の保持は、本実施形態においては、斜坑１へのシュ−ト４の配設前に、シュ−ト４底壁部６内面上の金網７に予め掘削物９を保持させておくのではなく、斜坑１に、未だ金網７が掘削物９を保持しないシュ−ト４を配設し、それに対して、掘削機３による掘削に伴う掘削物９を流し落とすことにより（使用することにより）、自動的に掘削物９をシュ−ト４底壁部６内面上の金網７に保持させることになっている。このため、金網７の網目の大きさは、掘削物９を保持し易い観点から決定されている。尚、ここで、掘削物９は、山等の掘削に伴って当然に出てくるものであり、その掘削物９には、単なる土砂等だけでなく、混在する石、岩等も含まれる。
【００１２】
したがって、掘削機３による掘削に伴って出た掘削物１０（図面上での理解を容易にするため、前記掘削物９とは別に、排出掘削物なる用語を用いる（図４参照））が、順次、シュ−ト４（上流側）に投入されると、その排出掘削物１０は、図４に示すように、シュ−ト４の傾斜配置に基づきシュ−ト４下流端側へと搬出されることになるが、この場合、その排出掘削物１０は、金網７により保持された掘削物９上を滑り落ちることになる。
この結果、金網７に保持された掘削物９が、排出掘削物１０からシュ−ト４底壁部６内面を保護することになり、そのシュ−ト４底壁部６内面の摩耗を簡単に低減できることになる。
また、本実施形態においては、当初、金網７に未だ土砂等を保持させないシュ−ト４を配設し、その後、掘削に伴ってその掘削物９を流し落とすことにより、自動的に金網７に掘削物９を保持させることから、シュ−ト４の搬送、土砂等の保持を容易にできることになり、作業性を向上させることができることになる。
【００１３】
このような排出掘削物１０の排出を終えると、シュ−ト４内の金網７が取り外される。この取り外しは、金網７の保持が支持具８に対して差込んであるだけであることから、金網７を持ち上げるだけで簡単に取り外される。この金網７が取り外されたシュ−ト４は、山２の上方側に運ばれ、そのシュ−ト４は、今度は、斜坑１とその中に配設する発電用水圧管との間にコンクリ−ト搬入する搬入シュ−ト（搬入装置）として用いられることになる。この場合、金網７を取り外してシュ−ト４を使用するのは、コンクリ−トの分離を防止するためである。このように本実施形態に係るシュ−ト４は、排出掘削物１０の排出シュ−トとして用いることができるだけでなく、コンクリ−トの搬入シュ−トとしても用いることができることになる。
【００１４】
図５〜図７は参考としての第１別形態、図８は参考としての第２別形態を示すものである。この各形態において、前記本発明の実施形態と同一構成要素については同一符号を付してその説明を省略する。
【００１５】
参考としての第１別形態においては、図５、図６に示すように、シュ−ト底壁部６内面上に複数の邪魔板１１がシュ−ト底壁部６を横切るように設けられている。この複数の邪魔板１１は、排出方向に所定間隔毎に配設されており、その各邪魔板１１は、シュ−ト側壁部５の上端よりも低い高さとされている。そして、この各邪魔板１１により掘削物９が堰止められ、シュ−ト底壁部６内面上における内部空間下部に掘削物９が保持されることになっている。
【００１６】
しかも、各邪魔板１１の側部は、図７に示すように、一対の側壁部５内面に排出方向において所定間隔毎に形成した複数の縦溝１５に着脱可能に嵌合されており、これにより、各邪魔板１１は、シュ−ト４の底壁部６付近において該底壁部６等に対して着脱可能に保持されることになっている。勿論、この場合、底壁部６内面に上記縦溝１５に連なる横溝を形成して、邪魔板１１の下部もその横溝に嵌合されるようにしてもよい。
【００１７】
したがって、この参考としての第１別形態においても、掘削に伴って出た掘削物１０が、順次、シュ−ト４（上流側）に投入されると、その排出掘削物１０は、図６に示すように、各邪魔板１１により堰止められてシュ−ト底壁部６内面に保持された掘削物９上を滑り落ちることになり、そのシュ−ト底壁部６内面に保持された掘削物９が、排出掘削物１０からシュ−ト４底壁部６内面を保護し、そのシュ−ト底壁部６内面の摩耗が簡単に低減されることになる。
特に本形態においては、各邪魔板１１により土砂等を堰き止める構成であることから、極めて簡単な構成をもって、掘削当初の掘削物９を、保持すべき土砂等としてシュ−ト４に確実に保持できることになる。
【００１８】
しかも、この参考としての第１別形態においては、邪魔板１１が縦溝１５に嵌合される構成であることから、排出掘削物１０の排出に対して、邪魔板１１の支持強度を高めることができると共に、その排出掘削物１０の排出の後において、各邪魔板１１を縦溝１５から引き抜いて、コンクリ−ト搬入シュ−トに簡単に変えることができることになる。
【００１９】
参考としての第２別形態においては、図８に示すように、複数の邪魔板１２が、排出方向において所定間隔毎にシュ−ト両側壁部５から互い違いに突出されており、その各邪魔板１２は、側壁部５上端の高さよりも低くされている。これによっても、土砂等（掘削物９）を堰き止めることができ、シュ−ト４上に土砂等を保持できることになる。
【００２０】
また、斜坑１の掘削後、水圧管を配設し、その水圧管と斜坑１周壁との間に、該斜坑１上端側からコンクリ−トを注入する作業が行われるが、上記シュ−ト４が互い違いに配設された邪魔板１２を有することから、上記コンクリ−ト注入に際して、上記シュ−ト４（土砂等を保持していないもの）を、各邪魔板１２により注入速度を調整できる搬入シュ−トとしても利用できることになる。この場合、各邪魔板１２は、コンクリ−トの注入速度を細かく調整できるようにすべく、角度調整可能（可変）となるように取付けておくことが好ましい。
【００２１】
図９〜図１２は、シュ−ト４の通路断面形状の変形例を示すものである。図９はシュ−ト４の通路断面形状を略円形としたもの、図１０はシュ−ト４の通路断面形状を略楕円形としたもの、図１１は四角形としたもの、図１２は略三角形としたものであり、いずれも、シュ−ト４の上部開口が狭まることになっている。これにより、掘削物１０の排出、コンクリ−トの搬入において、その各輸送物がシュ−ト４内からはね出ることが抑制されることになっている。この場合、各図中において、各シュ−ト４内の金網７等の保持手段等については、図示が略されている。
この他に、シュ−ト４の通路断面形状が、略円弧状、パイプ状のもの等を適宜用いてもよい。
【００２２】
以上実施形態について説明したが本発明においては、次のようなものを包含する。
１）シュ−ト４に保持すべき土砂等を、掘削物９排出に伴って自動的にシュ−ト４に保持するのではなく、予め、使用前に保持しておくこと。
２）シュ−ト４の両側壁部５の上端部を補強部材により連結して、シュ−ト４を補強すること。
３）シュ−ト４を、斜坑ではなく山の斜面等において、ブルド−ザ等により掘削された掘削物の排出等のために（斜面搬送等において）用いること。
【図面の簡単な説明】
【図１】掘削機による斜坑の掘削を説明する説明図。
【図２】図１の拡大説明図。
【図３】本発明の実施形態に係るシュ−トを示す斜視図。
【図４】本発明の実施形態に係るシュ−トを示す縦断面図。
【図５】参考としての第１別形態に係るシュ−トを示す斜視図。
【図６】参考としての第１別形態に係るシュ−トを示す縦断面図。
【図７】参考としての第１別形態において、邪魔板とシュ−ト側壁部との保持関係を平面的に示す図。
【図８】参考としての第２別形態に係るシュ−トを示す斜視図。
【図９】シュ−トの通路断面形状の変形例１を示す図。
【図１０】シュ−ト通路断面形状の変形例２を示す図。
【図１１】シュ−ト通路断面形状の変形例３を示す図。
【図１２】シュ−ト通路断面形状の変形例４を示す図。
【図１】
0003545904.tif 000002
【図２】
0003545904.tif 000003
【図３】
0003545904.tif 000004
【図４】
0003545904.tif 000005
【図５】
0003545904.tif 000006
【図６】
0003545904.tif 000007
【図７】
0003545904.tif 000008
【図８】
0003545904.tif 000009
【図９】
0003545904.tif 000010
【図１０】
0003545904.tif 000011
【図１１】
0003545904.tif 000012
【図１２】
0003545904.tif 000013